(57)【特許請求の範囲】
【請求項１】
第１の端末と第２の端末との通信状態から呼が転送された後における前記第２の端末と第３の端末とが通信中の状態であることを示す通信中情報を記憶する記憶手段と、前記第１の端末から転送指示があったとき前記記憶手段に記憶されている通信中情報を参照して第４の端末に呼を転送する呼転送手段とを含み、前記第２の端末と前記第４の端末との通信を実現することを特徴とする転送制御システム。
【請求項２】
前記第１の端末と前記第４の端末とが異なる端末であることを特徴とする請求項１記載の転送制御システム。
【請求項３】
前記第１の端末と前記第４の端末とが同一の端末であることを特徴とする請求項１記載の転送制御システム。
【請求項４】
第１の端末に設けられ直進性通信路によるアドレス問合せを行う手段と、他の端末に設けられ前記第１の端末からのアドレス問合せに応答して自端末のアドレスを前記第１の端末に返送する手段とを更に含み、前記第１の端末は受信したアドレスを用いて前記転送指示を行うことを特徴とする請求項２記載の転送制御システム。
【請求項５】
第１の端末と第２の端末との通信状態から呼が転送された後における前記第２の端末と第３の端末とが通信中の状態であることを示す通信中情報を記憶する記憶ステップと、前記第１の端末から転送指示があったとき前記記憶ステップにおいて記憶した通信中情報を参照して第４の端末に呼を転送する呼転送ステップとを含み、前記第２の端末と前記第４の端末との通信を実現することを特徴とする転送制御方法。
【請求項６】
前記第１の端末と前記第４の端末とが異なる端末であることを特徴とする請求項５記載の転送制御方法。
【請求項７】
前記第１の端末と前記第４の端末とが同一の端末であることを特徴とする請求項５記載の転送制御方法。
【請求項８】
前記第１の端末から他の端末に直進性通信路によるアドレス問合せを行う問合せステップと、前記他の端末において前記第１の端末からのアドレス問合せに応答して自端末のアドレスを前記第１の端末に返送する返送ステップとを更に含み、前記呼転送ステップにおいては、前記返送ステップにおいて受信したアドレスを用いて前記第１の端末は前記転送指示を行うことを特徴とする請求項６記載の転送制御方法。
【請求項９】
呼が転送された後における通信中の状態であることを示す通信中情報を記憶する呼状態記憶装置を利用して転送制御を行う転送制御端末であって、他の端末へのアドレス問合せを行う手段と、該他の端末から受信したアドレスを用いて、前記呼状態記憶装置に対して前記呼の再転送指示を行う手段とを含むことを特徴とする転送制御端末。
【請求項１０】
前記他の端末へのアドレス問合せは、直進性通信路によって行うことを特徴とする請求項９記載の転送制御端末。
【請求項１１】
前記呼の再転送指示においては、該呼の転送前に通信状態になっていた端末とは異なる端末に、該呼を転送するように指示することを特徴とする請求項９又は１０記載の転送制御端末。
【請求項１２】
前記呼の再転送指示においては、該呼の転送前に通信状態になっていた端末と同一の端末に、該呼を転送するように指示することを特徴とする請求項９又は１０記載の転送制御端末。
【発明の詳細な説明】
【０００１】
【発明の属する技術分野】
本発明は転送制御システム及び転送制御方法に関し、特に通信システムにおける呼の転送を制御する転送制御システム及び転送制御方法に関する。
【０００２】
【従来の技術】
一般に、２つの通信端末間で通信中の呼を、第三者に転送することは可能である。すなわち、図１１に示されているように、通信端末１と通信端末２とが通信制御装置Ａ、Ｅ及びＢを介して通信している状態において、第三者である通信端末３に呼を転送し、通信端末３と通信端末２とが通信制御装置Ｃ、Ｅ及びＢを介して通信している状態に変更することができる。この転送を行う場合には、まず通信端末装置１が転送指令Ｓ１０１を送出する。すると、通信制御装置Ａが制御することによって、矢印Ｓ１０２で示されているように転送が実行され、図中の破線で示されている状態から図中の太い実線で示されている状態になる。以上のように、呼の転送を行うことができる。
【０００３】
また、上記と同様に、転送先である第三者（図中の通信端末３）から、さらに他の第三者（例えば、図示せぬ通信端末４）へ転送することは可能である。しかしながら、その転送元の通信端末（図中の通信端末１）から、その呼に対して転送を指示することはできない。
さらに、転送先の指定は、ユーザが手で入力するか、予め登録した転送先リスト中から選択するしかない。
【０００４】
【発明が解決しようとする課題】
上述した従来のシステムでは、通信端末で通信中の呼を第三者に転送すると、その通信端末からその呼に対して転送を指示する等のアクションを起こすことができない。アクションを起こすことができないので、もう一度、その呼を他の第三者や自分に転送できないという欠点がある。
【０００５】
また、上述した従来のシステムでは、転送先電話番号を入力するか通信端末に記憶してある電話番号を選択するかしか、転送先を設定する手段がなかった。これでは、何度もボタンを押さねばならずユーザの利便性が悪いという欠点がある。
本発明は上述した従来技術の欠点を解決するためになされたものであり、その目的は転送元からの指示による再転送が行え、しかもその指示を行うユーザの利便性を向上させることのできる転送制御システム及び転送制御方法を提供することである。
【０００６】
【課題を解決するための手段】
本発明による転送制御システムは、第１の端末と第２の端末との通信状態から呼が転送された後における前記第２の端末と第３の端末とが通信中の状態であることを示す通信中情報を記憶する記憶手段と、前記第１の端末から転送指示があったとき前記記憶手段に記憶されている通信中情報を参照して第４の端末に呼を転送する呼転送手段とを含み、前記第２の端末と前記第４の端末との通信を実現することを特徴とする。
【０００７】
このとき、前記第１の端末と前記第４の端末とが異なる端末であっても良いし、前記第１の端末と前記第４の端末とが同一の端末であっても良い。前者の場合には、第１の端末に設けられ直進性通信路によるアドレス問合せを行う手段と、他の端末に設けられ前記第１の端末からのアドレス問合せに応答して自端末のアドレスを前記第１の端末に返送する手段とを更に含み、前記第１の端末は受信したアドレスを用いて前記転送指示を行う。
【０００８】
本発明による転送制御方法は、第１の端末と第２の端末との通信状態から呼が転送された後における前記第２の端末と第３の端末とが通信中の状態であることを示す通信中情報を記憶する記憶ステップと、前記第１の端末から転送指示があったとき前記記憶ステップにおいて記憶した通信中情報を参照して第４の端末に呼を転送する呼転送ステップとを含み、前記第２の端末と前記第４の端末との通信を実現することを特徴とする。
【０００９】
このとき、前記第１の端末と前記第４の端末とが異なる端末であっても良いし、前記第１の端末と前記第４の端末とが同一の端末であっても良い。前者の場合には、前記第１の端末から他の端末に直進性通信路によるアドレス問合せを行う問合せステップと、前記他の端末において前記第１の端末からのアドレス問合せに応答して自端末のアドレスを前記第１の端末に返送する返送ステップとを更に含み、前記呼転送ステップにおいては、前記返送ステップにおいて受信したアドレスを用いて前記第１の端末は前記転送指示を行う。
本発明による転送制御端末は、呼が転送された後における通信中の状態であることを示す通信中情報を記憶する呼状態記憶装置を利用して転送制御を行う転送制御端末であって、他の端末へのアドレス問合せを行う手段と、該他の端末から受信したアドレスを用いて、前記呼状態記憶装置に対して前記呼の再転送指示を行う手段とを含むことを特徴とする。
このとき、前記他の端末へのアドレス問合せは、直進性通信路によって行っても良い。また、前記呼の再転送指示においては、該呼の転送前に通信状態になっていた端末とは異なる端末に、該呼を転送するように指示しても良いし、該呼の転送前に通信状態になっていた端末と同一の端末に、該呼を転送するように指示しても良い。
【００１０】
要するに本発明によれば、通信中の呼を第三者に転送した後に、転送元の通信端末からの指示により、さらに他の第三者に当該呼を転送することができる。また、通信中の呼を第三者に転送した後に、転送元の通信端末からの指示により、転送元の通信端末に当該呼を転送することもできる。
そして、端末間で相互に通信することによって転送先アドレスを自動的に設定しても良いし、相互に通信せずに手動で設定しても良い。転送先アドレスとして自身のアドレスを設定することもできる。
【００１１】
【発明の実施の形態】
次に、図面を参照して本発明の実施の形態について説明する。なお、以下の説明において参照する各図では、他の図と同等部分は同一符号によって示されている。
図１は本発明による転送制御システムを実現するための通信システムの構成例を示すブロック図である。同図に示されている移動通信システム１０は、通信端末１と、通信制御装置Ａと、通信制御装置Ｅと、サービス制御装置Ｘと、呼状態記憶装置Ｙとを含んで構成されている。通信端末１は、例えば移動通信端末であり、通信制御装置Ａを介して他の通信端末と通話を行うことができる。本例では、移動通信システム１０によって通信が可能となる移動通信端末を含むことを前提としているが、移動通信端末以外の固定通信端末等についても本発明による転送制御システムを適用することができる。
【００１２】
サービス制御装置Ｘは、本通信システム全体の制御を行う。また、サービス制御装置Ｘの制御により、各通信端末間の通信の状態を示す通信情報が呼状態記憶装置Ｙに記憶保持され、また記憶保持されている通信中情報が読出される。
さらに、図１に示されている通信システムは、通信端末２，３，４と、これらに対応して設けられた通信制御装置Ｂ，Ｃ，Ｄとを含んで構成されている。通信制御装置Ｂ，Ｃ，Ｄは、通信制御装置Ｅと接続されている。
【００１３】
かかる構成からなる通信システムにおいて、発呼が行われ、図２に示されているように通信端末１と通信端末２とが通信している状態を考える。この状態においては、通信制御装置Ｅは通信端末１の識別子を保持している。この図２に示されている状態は、図３（ａ）に示されているように、通信端末１と通信端末２とが通信中の状態である。
【００１４】
ここで、図２に示されている状態から、図４に示されているように、その呼を通信端末３に転送するときには、以下のような手順で転送が行われる。すなわち、通信端末１が転送指令を送出すると（手順Ｓ４０１）、矢印Ｓ４０２で示されているように、呼の転送が行われる。そして、通信制御装置Ｅが、通信端末１の識別子で特定できるサービス制御装置Ｘを通して、通信端末１の識別子で特定できる呼状態記憶装置Ｙに、通信制御装置Ｅのアドレスと転送呼識別子からなる転送呼状態とを記録する（手順Ｓ４０３）。
【００１５】
また、この転送指示の際には、通信端末１と通信端末３との間において、以下のような送受信が行われる。すなわち、転送先としたい通信端末３に転送元である通信端末１を向け、赤外線等の直進性通信路を介して、転送元通信端末から番号読出を転送先としたい通信端末に送り、その逆方向で、転送先アドレスを送り返し、それを通信元端末に設定し、通信網に転送指示を送る。この場合、この端末間通信、通信元端末における設定、及び通信網への転送指示送出を、少ない操作、例えば１つのボタンを１回押すだけ、で完了させるように、通信端末を構成しても良い。この構成については後述する。
【００１６】
通信端末の内部構成によっては、上記と同様の操作をしても、移動端末が他の通信端末と上記の通信を行えない場合がある。この場合には、キーボタン操作等によってアドレスを手動設定し、通信網に転送指示を送出すれば良い。
以上説明した図４の状態が図３（ｂ）に示されている。同図に示されているように、通信端末１は通信制御装置Ｅに対して転送指示Ｓ８００を送出する。このとき、転送先アドレスは「３」とする。これにより、呼の転送が実行される。この呼の転送状態を記憶するため、通信制御装置Ｅはサービス制御装置Ｘに対して呼状態記憶指示Ｓ８０１を送出する。このとき、転送元アドレスは「１」、通信制御装置アドレスは「Ｅ」、呼を識別するための呼識別子は「ｍ」である。
【００１７】
通信制御装置Ｅから呼状態記憶指示を受けたサービス制御装置Ｘは、呼状態記憶装置Ｙに対して呼状態記憶指示Ｓ８０２を送出する。このとき、転送元アドレスは「１」、通信制御装置アドレスは「Ｅ」、呼を識別するための呼識別子は「ｍ」である。これにより、呼状態記憶装置Ｙには、以下のような情報が記憶される。すなわち、転送元である通信端末１の識別子「１」をインデックスとして、通信制御装置のアドレス「Ｅ」と呼識別子「ｍ」が記憶される。
【００１８】
呼状態の記憶が完了すると、呼状態記憶装置Ｙは、サービス制御装置Ｘに対して応答（ａｃｋ）Ｓ８０３を返し、通信制御装置Ｅにも応答（ａｃｋ）Ｓ８０４が送られる。以上の手順によって、通信端末２と通信端末３とが呼ｍによる通信中となる。
図５には、再転送先アドレスが通信端末４である場合の動作が示されている。同図においては、同図中の破線で示されているように、通信端末２と通信端末３とが通信状態である場合に、その呼を同図中の太い実線で示されているように、通信端末１からの指示に従って通信端末４に転送し、通信端末２と通信端末４とが通信状態になる。
【００１９】
まず、通信端末１が、通信端末１の識別子及び再転送先アドレスを含む再転送指示を送る（手順Ｓ６０１）。すると、それを受取った通信制御装置Ａが、通信端末１の識別子で特定できるサービス制御装置Ｘに指示を転送する（手順Ｓ６０２）。
この転送指示の際にも通信端末１と通信端末４との間において、以下のような送受信が行われる。すなわち、転送先としたい通信端末４に転送元である通信端末１を向け、赤外線等の直進性通信路を介して、転送元通信端末から番号読出を転送先としたい通信端末に送り、その逆方向で、転送先アドレスを送り返し、それを通信元端末に設定し、通信網に転送指示を送る。この場合、この端末間通信、通信元端末における設定、及び通信網への転送指示送出を、少ない操作、例えば１つのボタンを１回押すだけ、で完了させるように、通信端末を構成しても良い。
【００２０】
通信端末の内部構成によっては、上記と同様の操作をしても、移動端末が他の通信端末と上記の通信を行えない場合がある。この場合には、キーボタン操作等によって通信端末４のアドレスを手動設定し、通信網に転送指示を送出すれば良い。
サービス制御装置Ｘは通信端末１の識別子を用いて、呼状態記憶装置Ｙから通信端末１の転送呼状態を読出す（手順Ｓ６０３）。サービス制御装置Ｘは転送呼状態に含まれるＥの識別子を用いて通信制御装置Ｅを特定し、転送呼識別子「ｍ」及び再転送先アドレスを含む再転送指示を通信制御装置Ｅに送る（手順Ｓ６０４）。それを受取った通信制御装置Ｅは、転送呼識別子「ｍ」で特定した呼を、再転送先アドレスに再転送する。これにより、矢印Ｓ６０５で示されているように転送が実行され、破線で示されている状態から太い実線で示されている状態になる。
【００２１】
最後に、通信制御装置Ｅは、再転送が行われたことを示す応答信号を通信端末１に送る（手順Ｓ６０６）。以上のように、呼の再転送を行うことができる。
以上説明した図５の状態が図６（ａ）に示されている。同図に示されているように、通信端末１は通信制御装置Ｘに対して再転送指示Ｓ９０１を送出する。このとき、再転送先アドレスは「４」、転送元アドレスは「１」である。再転送指示Ｓ９０１を受取った通信制御装置Ｘは、呼状態記憶装置Ｙに対して呼状態読出指示Ｓ９０２を送出する。このとき、転送元アドレスは「１」である。
【００２２】
これにより、呼状態記憶装置Ｙは呼状態読出指示Ｓ９０２に対する応答（ａｃｋ）Ｓ９０３を通信制御装置Ｘに返送する。この応答は、通信制御装置アドレス「Ｅ」、呼識別子「ｍ」を示すものである。
この応答Ｓ９０３を受取った通信制御装置Ｘは、通信制御装置Ｅに対して再転送指示Ｓ９０４を送出する。このとき、再転送先アドレスは「４」、呼識別子は「ｍ」である。以上により、再転送が実行される。
【００２３】
再転送が完了すると、通信制御装置Ｅは通信制御装置Ｘに対して応答（ａｃｋ）Ｓ９０５を返し、これを受取った通信制御装置Ｘは通信端末１に応答（ａｃｋ）Ｓ９０６を返す。以上の手順によって、通信端末２と通信端末４とが呼ｍによる通信中となる。
図７には、再転送先アドレスが通信端末１である場合、すなわち転送元である通信端末１自身に呼を戻す場合の動作が示されている。つまり、同図中の破線で示されているように、通信端末２と通信端末３とが通信状態である場合に、その呼を同図中の太い実線で示されているように、通信端末１からの指示に従って通信端末１自身に転送する。
【００２４】
同図に示されているように、まず、通信端末１が、通信端末１の識別子及び再転送先アドレスを含む再転送指示を送る（手順Ｓ７０１）。すると、それを受取った通信制御装置Ａが、通信端末１の識別子で特定できるサービス制御装置Ｘに指示を転送する（手順Ｓ７０２）。この転送指示の際には、キーボタン操作等によって通信端末１自身のアドレスを手動設定し、通信網に転送指示を送出すれば良い。
【００２５】
サービス制御装置Ｘは通信端末１の識別子を用いて、呼状態記憶装置Ｙから通信端末１の転送呼状態を読出す（手順Ｓ７０３）。サービス制御装置Ｘは転送呼状態に含まれるＥの識別子を用いて通信制御装置Ｅを特定し、転送呼識別子及び再転送先アドレスを含む再転送指示を通信制御装置Ｅに送る（手順Ｓ７０４）。それを受取った通信制御装置Ｅは、転送呼識別子で特定した呼を、再転送先アドレスに再転送する。これにより、矢印Ｓ７０５で示されているように転送が実行され、破線で示されている状態から太い実線で示されている状態になる。
【００２６】
最後に、通信制御装置Ｅは、再転送が行われたことを示す応答信号を通信端末１に送る（手順Ｓ７０６）。以上のように、呼の再転送を行うことができる。
以上説明した図７の状態が図６（ｂ）に示されている。同図に示されているように、通信端末１は通信制御装置Ｘに対して再転送指示Ｓ９０７を送出する。このとき、再転送先アドレスは「１」、転送元アドレスも「１」である。再転送指示Ｓ９０７を受取った通信制御装置Ｘは、呼状態記憶装置Ｙに対して呼状態読出指示Ｓ９０８を送出する。このとき、転送元アドレスは「１」である。
【００２７】
これにより、呼状態記憶装置Ｙは呼状態読出指示Ｓ９０８に対する応答（ａｃｋ）Ｓ９０９を通信制御装置Ｘに返送する。この応答は、通信制御装置アドレス「Ｅ」、呼識別子「ｍ」を示すものである。
この応答Ｓ９０９を受取った通信制御装置Ｘは、通信制御装置Ｅに対して再転送指示Ｓ９１０を送出する。このとき、再転送先アドレスは「１」、呼識別子は「ｍ」である。以上により、再転送が実行される。
【００２８】
再転送が完了すると、通信制御装置Ｅは通信制御装置Ｘに対して応答（ａｃｋ）Ｓ９１１を返し、これを受取った通信制御装置Ｘは通信端末１に応答（ａｃｋ）Ｓ９１２を返す。以上の手順によって、通信端末１と通信端末２とが呼ｍによる通信中となる。
以上の動作において、呼状態記憶装置Ｙには以下のような情報が記憶される。すなわち、転送元である通信端末１の識別子をインデックスとして、通信制御装置のアドレス及び転送呼番号が記憶される。
【００２９】
図８には呼が切断された場合の動作が示されている。ここでは、同図中の破線で示されている呼、すなわち通信端末２と通信端末３との間の呼Ｓ５０１が切断されて通信状態ではなくなった場合について説明する。
同図において、この呼が切断された場合でも、呼状態記憶装置Ｙは、その転送呼状態を示す情報を記憶保持する。通信制御装置Ｅから状態消去指示が来た場合は（手順Ｓ５０２）、サービス制御装置Ｘによって呼状態記憶装置Ｙに記憶されている上記情報が消去される（手順Ｓ５０３）。
【００３０】
以上説明した図８の状態が図６（ｃ）に示されている。同図に示されているように、切断処理が実行されると、通信制御装置Ｅはサービス制御装置Ｘに対して呼状態消去指示Ｓ９１３を送出する。このとき、転送元アドレスは「１」である。
通信制御装置Ｅから呼状態消去指示Ｓ９１３を受けたサービス制御装置Ｘは、呼状態記憶装置Ｙに対して呼状態消去指示Ｓ９１４を送出する。このとき、転送元アドレスは「１」である。これにより、呼状態記憶装置Ｙにおいては、呼状態の記憶消去処理が行われる。
【００３１】
呼状態の記憶消去が完了すると、呼状態記憶装置Ｙは、サービス制御装置Ｘに対して応答（ａｃｋ）Ｓ９１５を返し、通信制御装置Ｅにも応答（ａｃｋ）Ｓ９１６が送られる。以上の手順によって、切断処理が完了となる。
以上説明したように、転送先のアドレスを指定する場合には、転送元の通信端末において、転送先の通信端末のアドレスを直接入力しても良いし、直接入力せずに転送先の通信端末のアドレスを転送先の通信端末から得ても良い。転送先の通信端末からその端末のアドレスを得た後は、そのアドレスを用いて再転送指示を送出することになる。
【００３２】
転送先の通信端末から転送先の通信端末のアドレスを得るには、以下のように行う。すなわち、例えば、周知の赤外線送受信機能を各通信端末に設けておき、リモートコントローラを操作する要領で、特定のボタン（スイッチ）を押下する。これにより、アドレスを返送する指令を転送先端末に送る。
すると、転送先端末は自端末のアドレス（電話番号）を送出し、転送元端末はそのアドレスを受信する。そして、転送元端末は、この受信したアドレスを用いて再転送指示を送出するのである。つまり、端末間でアドレスの授受を直接行い、受取ったアドレスを用いて呼の転送が行われることになる。
【００３３】
以上の機能を実現するために通信端末内に追加される構成が図９に示されている。同図には、転送元端末である通信端末１の内部構成と、転送先端末である通信端末４の内部構成とが示されている。同図において、通信端末１は、押しボタンスイッチや液晶表示装置等のディスプレイ装置を含む対人間インタフェース１３と、赤外線信号を送受信して転送先端末である通信端末４のアドレスを問合せるための転送先アドレス問合せ機能１１と、対人間インタフェース１３によって入力されるアドレスについて発呼や転送を行う呼制御機能１２とを有している。
【００３４】
一方、通信端末４は、転送元端末である通信端末１からのアドレス問合せに対して応答し、アドレスを返送する転送先アドレス応答機能４１を有している。なお、通信端末のアドレス（電話番号）は、本例では、「４」であるものとする。また、同図に示されている通信端末１と通信端末４との間の通信１００は、本例では赤外線信号の送受信によって実現される。赤外線信号の送受信に限らず、直接通信を行うことのできる機能を利用して実現することができる。
【００３５】
同図に示されている通信端末１及び通信端末４内の各部の動作シーケンスが図１０に示されている。同図に示されているように、ユーザのボタン押下操作等により、対人間インタフェース１３に転送先アドレス問合せ指示Ｓ１１１が入力されると、対人間インタフェース１３から転送先アドレス問合せ機能１１に対して転送先アドレス問合せ要求Ｓ１１２が送出される。すると、転送先アドレス問合せ機能１１は、転送先アドレス応答機能４１に対して転送先アドレス問合せ要求Ｓ１１３を送出する。
【００３６】
転送先アドレス問合せ要求Ｓ１１３を受取った転送先アドレス応答機能４１は、転送先アドレス問合せ応答Ｓ１１４を送出する。この転送先アドレス問合せ応答Ｓ１１４は、アドレス「４」を示すものとする。この転送先アドレス問合せ応答Ｓ１１４を受取った転送先アドレス問合せ機能１１は、対人間インタフェース１３に対して、転送先アドレス問合せ応答Ｓ１１５を送出する。この転送先アドレス問合せ応答Ｓ１１５も、アドレス「４」を示すものである。
【００３７】
対人間インタフェース１３は、転送先アドレス問合せ応答Ｓ１１５を受取ると転送先アドレス問合せ完了表示Ｓ１１６を出力し、図示せぬディスプレイ等にアドレスの表示等がなされる。本例ではアドレス「４」が表示されることになる。この表示内容を確認したユーザがボタン押下操作等によって転送指示Ｓ１１７を入力すると、対人間インタフェース１３は、呼制御機能１２に対し、転送要求Ｓ１１８を送出する。この転送要求は、アドレス「４」を伴うものである。この転送要求Ｓ１１８を受取った呼制御機能１２は、転送実行処理Ｓ１１９を行う。なお、この転送実行処理Ｓ１１９は、図４中の手順Ｓ４０１、図５中の手順Ｓ６０１、図７中の手順Ｓ７０１に相当する。
【００３８】
以上の動作においては、ユーザがディスプレイ表示等によって転送先アドレスを確認した後、転送指示を入力するようになっている。この場合、ユーザが２回指示を入力しなければならないので、表示内容の確認を省略し、転送先アドレス問合せ応答によって受取ったアドレスを用いてそのまま転送実行処理に移行しても良い。このようにすれば、先述したように、１つのボタンを１回押すだけ、という少ない操作で転送指示を行うことができる。
【００３９】
以上のように本システムにおいては、転送中の状態をネットワーク内の、通信端末からアクセス可能な記憶装置に記憶保持する。そして、通信端末からその記憶装置を介して、被転送呼制御装置に、再転送指示を送り、他の第三者もしくはその通信端末にその呼を転送させることにより、再転送を実現する。
また、転送先としたい通信端末に転送元通信端末を向け、赤外線等の直進性通信路を介して、転送元通信端末から番号読出を転送先としたい通信端末に送り、その逆方向で、転送先アドレスを送り返し、それを通信元端末に設定し、通信網に転送指示を送る。
【００４０】
この端末間通信、通信元端末における設定、及び通信網への転送指示送出は、少ない操作、例えば１つのボタンを１回押すだけ、で完了させる。同様の操作をもって、移動端末が他の通信端末と上記の通信を行えない場合には、自身のアドレスを、転送先アドレスとして設定し、通信網に転送指示を送る。
以上のように再転送を行うことができるため、本システムを以下のように利用することができる。すなわち、例えば、移動機（通信元端末）で、テレビ電話を通信している場合に、大きな画面のテレビ電話のあるところまで移動して、その大きなテレビ電話に転送することは従来の技術でも可能である。
【００４１】
本システムにおいては、その呼をさらに別のテレビ電話に転送することが、その移動機から行えるようになる。例えば、テレビ電話を使用しているときに、同時にパーソナルコンピュータ（以下、ＰＣと呼ぶ）画面上のデータを見たくなった場合、さらにそのＰＣに呼を転送することができる。また再度、移動機にその呼をつなげることにより、やっぱり移動しなくてはいけなくなった場合においても移動することができ、さらに別の部屋に移動することもできる。
【００４２】
ところで、以上説明した通信システムにおいては、以下のような転送制御方法が実現されていることになる。すなわち、第１の端末と第２の端末との通信状態から呼が転送された後における前記第２の端末と第３の端末とが通信中の状態であることを示す通信中情報を記憶する記憶ステップと、前記第１の端末から転送指示があったとき前記記憶ステップにおいて記憶した通信中情報を参照して第４の端末に呼を転送する呼転送ステップとを含み、前記第２の端末と前記第４の端末との通信を実現する転送制御方法が実現されている。
【００４３】
【発明の効果】
以上説明したように本発明は、通信端末をその転送呼をコントロールするリモートコントローラのように使用でき、呼の再転送を行うことができ、ユーザの利便性を向上させることができるという効果がある。
【図面の簡単な説明】
【図１】本発明による転送制御システムを実現するための通信システムの構成例を示すブロック図である。
【図２】図１の転送制御システムにおける通信中の状態を示す図である。
【図３】本システムの動作を示す信号シーケンス図であり、（ａ）は図２の状態を示す図、（ｂ）は図４の状態を示す図である。
【図４】図１の転送制御システムにおいて、最初の転送を行った状態を示す図である。
【図５】図１の転送制御システムにおいて、他の第三者への再転送を行った状態を示す図である。
【図６】本システムの動作を示す信号シーケンス図であり、（ａ）は図５の状態を示す図、（ｂ）は図７の状態を示す図、（ｃ）は図８の状態を示す図である。
【図７】図１の転送制御システムにおいて、転送元への再転送を行った状態を示す図である。
【図８】図１の転送制御システムにおいて、転送呼切断を行った状態を示す図である。
【図９】通信端末の内部構成例を示すブロック図である。
【図１０】図９の各部の動作を示す信号シーケンス図である。
【図１１】従来の転送制御システムを実現するための通信システムの構成例を示すブロック図である。
【符号の説明】
１，２，３，４  通信端末
１１  転送先アドレス問合せ機能
１２  呼制御機能
１３  対人間インタフェース
４１  転送先アドレス応答機能
Ａ，Ｂ，Ｃ，Ｄ，Ｅ  通信制御装置
Ｘ  サービス制御装置
Ｙ  呼状態記憶装置
【図１】
0003682767.tif 000002
【図２】
0003682767.tif 000003
【図３】
0003682767.tif 000004
【図４】
0003682767.tif 000005
【図５】
0003682767.tif 000006
【図６】
0003682767.tif 000007
【図７】
0003682767.tif 000008
【図８】
0003682767.tif 000009
【図９】
0003682767.tif 000010
【図１０】
0003682767.tif 000011
【図１１】
0003682767.tif 000012